(57)【特許請求の範囲】
【請求項１】
支柱の上端部に支持具を取り付け、その支持具に、竿受部を設けた腕杆を回動可能かつ摺動可能に取り付けて成る物干装置において、支柱には、前面の上部に切欠部を設けて支持具を挿入し、支持具は、支柱内に収納されると共に、一部が支柱の前方に突出した状態で固定され、支持具に取り付けられた腕杆が、略垂直状態になって支柱の前面から離れた位置を摺動できるように構成したことを特徴とする物干装置。
【発明の詳細な説明】
【技術分野】
【０００１】
本発明は、ベランダの手摺り等に取り付けて、物干竿を挿通して使用する物干装置に関するものである。
【背景技術】
【０００２】
従来より、特願平９−１２０１６８号（特許第３０５１６９６号）発明のように、支柱上端部に蓋具を取り付けて、腕杆を蓋具及び支柱に回動可能かつ摺動可能に取り付けて成り、腕杆の一側縁を支柱の中に摺動できるようにして腕杆を垂直状態に収納する物干装置は提案されている。また、特願２００４−２４７８１７号（特許第３９３９７１６号）発明のように、支柱上端部に被せて取り付けたアーム固定具に竿掛けアームを回動可能かつ摺動可能に取り付けて成り、腕杆を支柱前面に垂直状態に収納する物干装置は提案されている。
【先行技術文献】
【特許文献】
【０００３】
【特許文献１】特許第３０５１６９６号公報
【特許文献２】特許第３９３９７１６号公報
【発明の概要】
【発明が解決しようとする課題】
【０００４】
上記前者の従来例においては、腕杆の一側縁を支柱の中に摺動できるようにして腕杆を垂直状態に収納するので、腕杆に金属摩擦を防ぐために合成樹脂製の案内部品を設ける必要があり、また支柱には蟻溝状のガイド部を設ける必要があり断面が大きくなるため、コスト高になるという問題があり、上記後者の従来例においては、支柱上端部にアーム固定具の下半部を被せて取り付けただけなので、使用時に竿掛けアームに荷重がかかった場合、支柱上端より上方にあるアーム固定具に荷重がかかる構造になっているので、かかる荷重が大きいとアーム固定具が支柱から外れる危険性があるという問題があり、本発明は、これらの問題を解決することを課題としている。
【課題を解決するための手段】
【０００５】
本発明は、上記の課題を解決するための物干装置であり、支柱の上端部に支持具を取り付け、その支持具に、竿受部を設けた腕杆を回動可能かつ摺動可能に取り付けて成る物干装置において、支柱には、前面の上部に切欠部を設けて支持具を挿入し、支持具は、支柱内に収納されると共に、一部が支柱の前方に突出した状態で固定され、支持具に取り付けられた腕杆が、略垂直状態になって支柱の前面から離れた位置を摺動できるように構成したことを特徴とする物干装置である。
【発明の効果】
【０００６】
以上のように本発明によれば、腕杆が、略垂直状態になって摺動する時には、支柱の前面から離れた位置を摺動するので、案内部品が不要で支柱にもガイド部を設ける必要がなく低コストで製作でき、かつ、支柱に設けた切欠部に、腕杆を取り付けた支持具を挿入して支柱の上端内部に取り付けて成るので、使用時に竿掛けアームに大きい荷重がかかっても、支持具と支柱の両方でその荷重を受けることができるので、容易に壊れることがなく十分な強度を有する物干装置を提供することができるという効果がある。
【図面の簡単な説明】
【０００７】
【図１】腕杆が斜め上向きの使用状態を示す側面図である。
【図２】腕杆の収納状態を示す側面図である。
【図３】図２の要部のＡ−Ａ線拡大断面図である。
【図４】図２の要部のＢ−Ｂ線拡大断面図である。
【図５】要部の分解斜視図である。
【図６】要部の一部を断面にした分解斜視図である。
【図７】腕杆が斜め上向きの使用状態を示す要部拡大断面図である。
【図８】腕杆がほぼ水平の使用状態を示す要部拡大断面図である。
【図９】腕杆を支持具の下方から挿入する状態を示す要部拡大断面図である。
【図１０】図９の状態から腕杆を上方へ移動した状態を示す要部拡大断面図である。
【図１１】図１０の状態から腕杆を１８０度回動した状態を示す要部拡大断面図である。
【図１２】図１１の状態から腕杆を上方へ移動した状態を示す要部拡大断面図である。
【図１３】図１２の状態でストッパー取付孔にストッパーを取り付けた状態を示す要部拡大断面図である。
【図１４】腕杆が垂直の収納状態を示す要部拡大断面図である。
【実施例１】
【０００８】
本発明の物干装置は、被取付体であるベランダの手摺りＴに固定される裏基板４に取付具３が取り付けられ、この取付具３に支柱１がその後面側（取付側）を上下に摺動可能に取り付けられ、支柱１の上端部には支持具２が固定され、さらに、この支持具２に、腕杆５が回動可能かつ摺動可能に取り付けられている。腕杆５は、斜め上向きの状態（図１及び図７参照）及びほぼ水平の状態（図８参照）が使用状態であり、腕杆５が上方へ回動して垂直状態になり下方へ移動した状態が収納状態（図２及び図１４参照）である。なお、図２においては、支柱１を取付具３に対して最も下方に移動した状態を示している。
【０００９】
支柱１は、断面略方形状の金属製の押し出し材であって、前面側辺（取付側と反対側）は、円弧状に凹んでおり、上端部を矩形状に一部切り欠いて切欠部７を設け、後面側辺（取付側）には、略蟻溝状の抱持溝６を設けてある。そして、抱持溝６で取付具３に設けた被抱持突条８を抱持して、支柱１は取付具３に対して上下に摺動可能に取り付けられる。
【００１０】
支持具２は、全体を金属で製し、前面と後面が開口している略直方体状の筐体９で、筐体９の両側の側板１２・１２は、上板１０及び底板１１よりも少し前方に突出して設けてある。側板１２・１２の前部内面の中間部には、間隔を置いて相対向する一対の外止部１３・１３を内方に向かって突設し、さらに外止部１３・１３の上端には、外止部１３・１３と同様に相対向し、後方に半円弧状に突出する一対の受止部１４・１４を設けてある。また、底板１１の前端は係止部１５としてある。
【００１１】
側板１２・１２間には、２つの対称な半体から成るカバー体１６が、上板１０、底板１１、外止部１３及び受止部１４のそれぞれ内面を被覆するように設けられている。カバー体１６は、合成樹脂で成形され、底板１１の上面の位置に、間隔を置いて相対向し、上方に突出する一対の略三角形状の阻止部１７を設けてある。
【００１２】
腕杆５は、全体を金属で製し、複数の竿受部１８・・・１８を設けると共に、後端部を除く周縁に厚み方向に突出する突条部１９を設けてある。突条部１９は、腕杆５がほぼ水平状態での上縁に直線状の上突条部１９ａを設け、下縁に同じく直線状の下突条部１９ｂを設け、さらに上突条部１９ａと下突条部１９ｂを略半円弧状の接続突条部１９ｃで接続して構成され、突条部１９のない後端部分が挿入部２０となっている。挿入部２０は、突条部１９の厚さよりも薄くなっており、支持具２の相対向する外止部１３・１３の間及び受止部１４・１４の間を通過できるようになっている。
【００１３】
腕杆５には、後端部に、係止部１５に選択的に係止される係合部２１及び係合部２２を設け、上突条部１９ａの後端部寄り内側に、受止部１４に係止される円弧凹状の掛合部２３を設けてある。さらに腕杆５には、上突条部１９ａに設けた掛合部２３よりさらに後端部寄り内側に、受止部１４に当接して腕杆５が支持具２から抜けるのを防ぐと共に、受止部１４に係止されて腕杆５をほぼ水平状態に保持する円弧凹状の抜止部２４を設けてある。
【００１４】
そして、腕杆５の上突条部１９ａの後端部に、腕杆５をその先端が支持具２側へ近づく方向へ回動した時阻止部１７に当接する当接部２５を設けてある。また、腕杆５の上部には、ストッパー取付孔２６を設けてあり、そこに弾性を有する合成樹脂製のストッパー２７を固定できるようになっている。阻止部１７と当接部２５は、腕杆５が斜め上向きの使用状態の時、竿受部１８・１８に挿架された物干竿に干された洗濯物が風に煽られる等して、腕杆５が、その先端が支持具２側へ近づく方向へ回動しようとするのを防ぐためであり、腕杆５が垂直になって下方に摺動して収納状態になる危険を回避している。
【００１５】
腕杆５を支持具２に取り付けるには、腕杆５の挿入部２０を筐体９の側板１２・１２の間に下方から挿入して（図９参照）、挿入部２０が、相対向する外止部１３・１３の間及び受止部１４・１４の間を通ると共に、下突条部１９ｂが、上板１０及び底板１１の前端部と外止部１３及び受止部１４との間を通るように腕杆５を上方に移動し（図１０参照）、接続突条部１９ｃが、上板１０及び底板１１前端部と外止部１３及び受止部１４との間を通るように腕杆５を回動し（図１１参照）、さらに、上突条部１９ａが、上板１０及び底板１１の前端部と外止部１３及び受止部１４との間を通るように腕杆５を上方に移動して、ストッパー取付孔２６を上板１０の上方に位置させ（図１２参照）、そのストッパー取付孔２６に表裏一対のストッパー２７を固定すればよい（図１３参照）。
【００１６】
そして、腕杆５を取り付けた支持具２を支柱１の上部から挿入し、支持具２の上板１０を支柱１の上端部に当接させると共に、支持具２の下端部を支柱１の切欠部７の下端部に当接させて、ねじ２８・２８で固定して、支持具２を支柱１に取り付ける。この状態では、支持具２は、支柱１の内部に大半部が収納され、一部が前方に突出しており、後述するように、腕杆５は、垂直な収納状態となった時、図４に示すように支柱１の前面より離れた状態となっている。
【００１７】
そして、裏基板４をベランダの手摺等に固着して、この裏基板４に、腕杆５及び支持具２が取り付けられた支柱１を摺動可能に取り付ける。本発明を使用する時には、ベランダの手摺等に２つ一組として固着して、それぞれの腕杆５・５の竿受部１８・・・１８に物干竿を挿架して使用するものである。
【００１８】
腕杆５を斜め上向きの使用状態に設定するには、腕杆５の後端部略中央部の係合部２２が支持具２の係止部１５に係止されると共に、掛合部２３が受止部１４に係止されるようにすればよい（図７参照）。
【００１９】
次に、腕杆５を斜め上向きの使用状態からほぼ水平の使用状態に設定するには、腕杆５を上方に移動して、係合部２２と係止部１５との係止状態及び掛合部２３と受止部１４との係止状態を解除し、腕杆５を下方へ回動する。すると、腕杆５の後端部下部の係合部２１が支持具２の係止部１５に係止されると共に、抜止部２４が受止部１４に係止されて、腕杆５はほぼ水平状態に設定される（図８参照）。逆に、腕杆５をほぼ水平の使用状態から斜め上向きの使用状態に設定するには、単に腕杆５を斜め上向きになるまで上方に回動するだけでよい。
【００２０】
腕杆５を斜め上向きの使用状態から垂直の収納状態に設定するには、腕杆５を上方に移動して、係合部２２と係止部１５との係止状態及び掛合部２３と受止部１４との係止状態を解除し、腕杆５を垂直になるまでその先端が支持具２側へ近づく方向（上方向）へ回動し、その後下方へ移動する。すると、腕杆５に取り付けたストッパー２７が支持具２の受止部１４に当接して腕杆５は垂直の収納状態になる（図２及び図１４参照）。ストッパー２７は、前述のように弾性を有する合成樹脂製なので消音効果があり、受止部１４に当接する時、大きな音を発することがない。
【符号の説明】
【００２１】
１    支柱
２    支持具
５    腕杆
７    切欠部
１８    竿受部
【図１】
0005483433.tif 000002
【図２】
0005483433.tif 000003
【図３】
0005483433.tif 000004
【図４】
0005483433.tif 000005
【図５】
0005483433.tif 000006
【図６】
0005483433.tif 000007
【図７】
0005483433.tif 000008
【図８】
0005483433.tif 000009
【図９】
0005483433.tif 000010
【図１０】
0005483433.tif 000011
【図１１】
0005483433.tif 000012
【図１２】
0005483433.tif 000013
【図１３】
0005483433.tif 000014
【図１４】
0005483433.tif 000015